(57)【要約】      （修正有）【課題】切断の最終時点でバネの反発力を、操作者が力を加える方向と一致するようにしてやることで、容易に切断できるアシストハサミを提供する。【解決手段】刃先２と、刃先と一体的に形成された握り部４，５と、刃先と握り部との間に設けられた軸３とを有する移動アーム６と固定アーム７とからなる一対のアーム８と、長円形状でその中央部を中心に凹形状を有する皿バネ形状部２１と、皿バネ形状部から延在された板バネ部２２と、板バネ部の先端部において移動アームの握り部４に摺動可能に保持されるための保持部２３とを有し、保持部と反対の一端部側１４が固定アームと軸近傍において保持され、握り部において保持部が摺動可能に保持されたアシストバネ２０とからなり、握り部で力を加えた場合、刃先が閉じる前の段階で皿バネ形状部が凸状に反転し、刃先が閉じたときに初期の凹形状に戻る反転機構部（突起部９）を設けた。【選択図】図１
0003197115.tif 000002
【実用新案登録請求の範囲】
【請求項１】
先端部に設けられた刃先と、前記刃先と一体的に形成された握り部と、前記刃先と前記握り部との間に設けられた軸とを有する移動アームと固定アームとからなる一対のアームと、長円形状でその中央部を中心に凹形状を有する皿バネ形状部と、前記皿バネ形状部から延在された板バネ部と、前記板バネ部の先端部において前記移動アームの前記握り部に摺動可能に保持されるための保持部とを有し、前記保持部と反対の一端部側が前記固定アームと前記軸近傍において保持され、前記握り部において前記保持部が摺動可能に保持されたアシストバネとからなり、前記握り部で力を加えた場合、前記刃先が閉じる前の段階で前記皿バネ形状部が凸状に反転した後、前記刃先が閉じたときに前記皿バネ形状部を初期の凹形状に戻す反転機構部を設けたことを特徴とするアシストハサミ。
【請求項２】
前記移動アームの握り部であって前記固定アームの前記握り部に対向する位置に凹部を設け、前記アシストバネの前記保持部が前記凹部中において摺動自在に保持される構造からなることを特徴とする請求項１に記載のアシストハサミ。
【請求項３】
前記アシストバネには、前記皿バネ形状部の前記一端部側から延在された板状の定着部がさらに設けられ、かつ、前記固定アームの前記移動アームに対向する位置に凹部がさらに設けられ、
前記定着部が前記固定アームの前記凹部中において摺動自在に保持された構造からなることを特徴とする請求項１または２に記載のアシストハサミ。
【請求項４】
前記反転機構部は、前記移動アームの前記皿バネ形状部に対向する位置に反転突起部を設けた構造からなる特徴とする請求項１から請求項３までのいずれか１項に記載のアシストハサミ。
【請求項５】
前記反転機構部は、前記固定アームの前記皿バネ形状部に対向する位置に反転突起部を設けた構造からなることを特徴とする請求項１から請求項４までのいずれか１項に記載のアシストハサミ。
【考案の詳細な説明】
【技術分野】
【０００１】
本考案は、庭木の剪定や工作等で切断に使用するバネを利用したハサミに関し、バネの反転力を利用することで切断を容易にするハサミに関する。
【背景技術】
【０００２】
従来、剪定バサミなど多くのハサミでは、切断後に初期の開いた状態に戻すためにバネが利用されている。しかし、このようなバネを用いたハサミを使って切断しようとするときには、バネを圧縮する力も必要となるため、単に切断するための力より大きな力を加えることが必要となる。このため、高齢者などでは使いこなせない場合が生じる。
このような課題に対して、大きな剪断力で、かつ、引き切り作用を加えることで、より効果的に切断することが出来る剪定バサミが開示されている。この発明の剪定バサミはリンク杆もしくはリンク杆に軸支された第二刃体の基部と第二把持柄の中間位置とにコイル状のバネを装着した構成からなっている（特許文献１参照）。このような構成とすることにより、コイル状のバネ作用により大きな剪断力を得ることができ、かつ引き切り作用も加わるので、小さな力でも容易に切断できるとしている。
また、可動刃の運動をあらゆる開放範囲で停止し、場合によっては逆転することができるように、工具、特に剪定バサミに設けられた電動機を制御可能にする装置も開示されている。具体的には、剪定バサミは相対的に動くことができる２個の刃を備え、一方の刃はケーシングに固定連結され、他方の刃は電動機によって、ねじスピンドルと、このねじスピンドル上に設けられたナットと、このナットに連結されたロッドとを介して動く構成からなる（特許文献２参照）。この構成の剪定バサミは電動機で作動させるために、操作者は切断のために力を加える必要がない。
【先行技術文献】
【特許文献】
【０００３】
【特許文献１】特開２００５−４２号公報
【特許文献１】特開平１０−３３８５０号公報
【考案の概要】
【考案が解決しようとする課題】
【０００４】
特許文献１に示す従来技術では、バネの力の方向を変えることで引き切りと剪断力を付加している。しかし、この剪定ハサミではバネの力の方向を変えるための軸を別に設けており、ハサミとしての構造が複雑であるという課題を有している。また、特許文献２に示した従来技術では、切断する力を加えるために電動機を用いている。電動機を用いるために操作者は力を加えることなく剪定することができるが、剪定バサミとしては重くなり、操作性が悪いという課題を有していた。
本考案はこのような従来の課題を解決するためのもので、皿バネの変形構造である皿バネ形状部と平板バネの組合せ構造からなるアシストバネを用いることにより、切断の最終時点でバネの反発力を操作者が力を加える方向と一致するようにしてやることで、容易に切断できるアシストハサミを提供することを目的としている。
【課題を解決するための手段】
【０００５】
上記課題を解決するために本考案のアシストハサミは、先端部に設けられた刃先と、この刃先と一体的に形成された握り部と、刃先と握り部の間に設けられた軸とを有する移動アームと固定アームとからなる一対のアームと、長円形状でその中央部を中心に凹形状を有する皿バネ形状部とこの皿バネ形状部から廷在された板バネ部と板バネ部の先端部において移動アームの握り部に摺動可能に保持されるための保持部とを有し、保持部と反対の一端部側が固定アームと軸近傍において保持され、握り部において保持部が摺動可能に保持されたアシストバネとからなり、握り部で力を加えた場合刃先が閉じる前の段階で皿バネ形状部が凸状に反転した後、刃先が閉じたときに皿バネ形状部を初期の凹形状に戻す反転機構部を設けた構造からなる。
この場合において、移動アームの握り部であって固定アームの握り部に対向する位置に凹部を設け、アシストバネの保持部が凹部中において摺動自在に保持される構造としてもよい。
また、上記構造において、アシストバネには皿バネ形状部の一端部側から延在された板状の定着部がさらに設けられ、かつ固定アームの移動アームに対向する位置に凹部がさらに設けられ、定着部が固定アームの凹部中において摺動自在に保持された構造としてもよい。
さらに上記構造において、反転機構部は記移動アームの皿バネ形状部に対向する位置に反転突起部を設けた構造としてもよい。
さらに上記構造において、反転機構部は固定アームの皿バネ形状部に対向する位置に反転突起部を設けた構造としてもよい。
【考案の効果】
【０００６】
本考案のアシストハサミは、ハサミで色々な物を切断後にバネ力で切断前の状態に戻るだけでなく、切断のために力を加えていったときに一定の段階で皿バネ形状部が反転することにより、皿バネ形状部の反転力が切断する方向に補助的に加わる。このため、女性、子供や高齢者等の力の弱い者であっても色々な切断作業を容易に行うことができる。
【図面の簡単な説明】
【０００７】
【図１】本考案の実施例１のアシストハサミの開いた状態を示す側面図である。
【図２】同実施例のアシストハサミの閉じた状態を示す側面図である。
【図３】同実施例のアシストハサミに用いるアシストバネを説明するための図であって、アシストハサミが開いた状態におけるアシストバネの形状を示す斜視図である。
【図４】同実施例のアシストハサミに用いるアシストバネを説明するための図であって、アシストハサミが閉じた状態におけるアシストバネの形状を示す斜視図である。
【図５】同実施例の図１に示すＡ−Ａ線に沿って切断した時の断面図である。
【図６】本考案の実施例２のアシストハサミの開いた状態を示す側面図である。
【図７】同実施例のアシストハサミの閉じた状態を示す側面図である。
【図８】本考案の実施例３のアシストハサミの開いた状態を示す側面図である。
【図９】同実施例のアシストハサミの閉じた状態を示す側面図である。
【図１０】本考案の実施例４のアシストハサミの開いた状態を示す側面図である。
【図１１】同実施例のアシストハサミの閉じた状態を示す側面図である。
【図１２】同実施例のアシストハサミに用いるアシストバネを説明するための図であって、アシストハサミが開いた状態におけるアシストバネの形状を示す斜視図である。
【図１３】同実施例のアシストハサミに用いるアシストバネを説明するための図であって、アシストハサミが閉じた状態におけるアシストバネの形状を示す斜視図である。
【図１４】同実施例の図１０に示すＢ−Ｂ線に沿って切断した時の断面図である。
【考案を実施するための形態】
【０００８】
本考案のアシストハサミは、先端部に設けられた刃先と、この刃先と一体的に形成された握り部と、刃先と握り部との間に設けられた軸とを有する移動アームと固定アームとからなる一対のアームと、長円形状でその中心部を中心に凹型状を有する皿バネ形状部とこの皿バネ形状部から延在された板バネ部と板バネ部の先端部において移動アームの握り部に摺動可能に保持されるための保持部とを有し、保持部と反対の一端部側が固定アームと軸近傍において保持され、握り部において保持部が摺動可能に保持されたアシストバネとからなり、握り部で力を加えた場合刃先が閉じる前の段階で板バネ形状部が凸状に反転した後、刃先が閉じたときに皿バネ形状部を初期の凹形状に戻す反転機構部を設けた構造からなる。
この場合において、移動アームの握り部であって固定アームの握り部に対向する位置に凹部を設け、アシストバネの保持部が凹部中において摺動自在に保持される構造としてもよい。
また、上記構造において、アシストバネには皿バネ形状部の一端部側から延在された板状の定着部がさらに設けられ、かつ固定アームの移動アームに対向する位置に凹部がさらに設けられ、定着部が固定アームの凹部中において摺動自在に保持された構造としてもよい。
さらに上記構造において、反転機構部は記移動アームの皿バネ形状部に対向する位置に反転突起部を設けた構造としてもよい。
さらに上記構造において、反転機構部は固定アームの皿バネ形状部に対向する位置に反転突起部を設けた構造としてもよい。
このような構造とすることにより、移動アームと固定アームの握り部で力を加えていった場合、刃先が閉じる直前の段階で皿バネ形状部が自律的に凸状に反転して刃先に対して切断する力を補助的に加えることができる。そして、刃先が閉じた時には、皿バネ形状部を初期の凹形状にする反転機構が作用するので、アシストバネは初期状態に戻り、初期の開いた状態に自律的に戻すことができる。
以下、本考案の実施例を基に詳細に説明する。
【実施例１】
【０００９】
本考案の実施例1にかかるアシストハサミについて図面を参照しながら詳細に説明する。本実施例では、剪定バサミへの応用例について説明する。図１は、本考案の実施例１のアシストハサミ１の開いた状態を示す側面図である。図２は同実施例のアシストハサミ１の閉じた状態を示す側面図である。図３は同実施例のアシストハサミ１に用いるアシストバネ２０を説明するための図であって、アシストハサミ１が開いた状態におけるアシストバネ２０の形状を示す斜視図である。図４は同実施例のアシストハサミ１に用いるアシストバネ２０を説明するための図であって、アシストハサミ１が閉じた状態におけるアシストバネ２０の形状を示す斜視図である。図５は同実施例の図１に示すＡ−Ａ線に沿って切断したときの断面図である。
【００１０】
本考案のアシストハサミ１は、一対のアーム８と、アシストバネ２０と、このアシストバネを初期状態に戻すための反転機構から構成されている。
一対のアーム８は、先端部に設けられた刃先２とこの刃先２と一体的に形成された握り部４、５と、刃先２と握り部４、５との間に設けられた軸３とを有する移動アーム６と固定アーム７とからなる。
アシストバネ２０は、長円形状でその中央部を中心に凹型形状を有する皿バネ形状部２１と、この皿バネ形状部２１から廷在された板バネ部２２と、板バネ部２２の先端部において移動アーム６の握り部４に摺動可能に保持されるための保持部２３とを有し、保持部２３と反対の一端部側が固定アーム７と軸３近傍において保持され、握り部４、５において保持部２３が摺動可能に保持された構造からなる。
そして、反転機構部は移動アーム６に設けた反転突起部９からなり、握り部４，５で力を加えた場合、刃先２が閉じる前の段階で板バネ形状部２１が凸状に反転した後、刃先２が閉じたときに皿バネ形状部２１を初期の凹形状に戻す機能を有する。
さらに本実施例においては、移動アーム６の握り部４であって固定アーム７の握り部５に対向する位置に凹部１０を設け、アシストバネ２０の保持部２３が凹部１０中において摺動自在に保持される構造としている。
なお、本実施例においては、アシストバネの一端部側１４は固定アーム７の軸３近傍において固定されている。
【００１１】
図１と図３を用いて、本実施例のアシストハサミ１の開いた状態についてさらに詳細に説明する。
アシストバネ２０は、皿バネを縦長の楕円に反らせて変形させた構造からなる皿バネ形状部２１と、この長軸方向の端部１５から延在された板バネ部２２とを組み合わせて形成されている。そして、開いた状態では、皿バネ形状部２１は初期の凹状に反った状態であり、皿バネ形状部２１と板バネ部２２とにより一対のアーム８を開いた状態とするようにバネ力が作用している。
上記したように本実施例では、移動アーム６の握り部４であって固定アーム７のにぎり部５に対向する位置に凹部１０を設け、アシストバネ２０の保持部２３がこの凹部１０中において摺動自在に保持される構造としている。したがって、一対のアーム８を閉じていくと、アシストバネ２０の保持部２３が移動アーム６の凹部１０中を摺動するため皿バネ形状部２１を反転させる方向にモーメントが加わっていき、所定の段階まで閉じたときに皿バネ形状部２１が一気に凸状に反転するので、反転によるバネ弾性力が握り部４、５で加えている力を補助するように刃先２に加わる。
【００１２】
つぎに、アシストバネ２０の反転機構について説明する。刃先２が閉じた状態では、アシストバネ２０は図４に示すように皿バネ部形状部２１が中央部を上向きとして凸状に反っている。この反った部分に対して、反転突起部９から押しつける力を加えることで、皿バネ形状部２１は図３に示す初期の凹形状にもどる。したがって、刃先２が閉じた後、さらに一対のアーム８を閉じる方向に力を加えると、移動アーム６に設けられた反転突起部９により凸状に反った皿バネ形状部２１に対して下方向に押しつける力が加わるので図１の状態へと反転する。この反転により、移動アーム６は板バネ部２２によって押し上げられて一対のアーム８は開いた初期状態に自律的に戻ることができる。
【実施例２】
【００１３】
本考案の実施例２のアシストハサミ１００について、図６と図７を用いて説明する。図６は、本考案の実施例２のアシストハサミ１００の開いた状態を示す側面図である。また、図７は同実施例のアシストハサミ１００の閉じた状態を示す側面図である。本実施例のアシストハサミ１００が実施例１のアシストハサミ１と異なる部分は、反転機構部にある。そこで、反転機構を主体に説明する。図６及び図７に示すように、本実施例においては固定アーム７の皿バネ形状部２１に対向する位置にも反転機構部である反転突起部１２を設けたことが特徴である。このような構造とすれば、刃先２を閉じたときに、移動アーム６の反転突起部９から皿バネ形状部２１を押し下げる力に加えて、固定アーム７の反転突起部１２により皿バネ形状部２１を押し上げるような力が加わるので、これらの力により皿バネ形状部２１はより確実に初期の凹形状の状態に戻ることができる。
なお、本実施例においては、移動アーム６にも反転突起部９を設けているが、固定アーム７に反転突起部１２を設けるのみでも反転機構部としての効果を有する。
【実施例３】
【００１４】
本考案の実施例３のアシストハサミ２００について、図８と図９を用いて説明する。図８は、本実施例のアシストハサミ２００の開いた状態を示す側面図である。図９は、同実施例のアシストハサミ２００の閉じた状態を示す側面図である。本実施例のアシストハサミ２００においては、アシストバネの一端部側１４における固定アーム７への固定は、軸３近傍よりも少し距離を有する位置において固定されている。そして、反転機構部である反転突起部２５を、皿バネ形状部２１の端部１５を押し上げる位置の固定アーム７に設けている。
このような構造とすることにより、刃先2が閉じた後に、さらに握り部４、５を閉じていけば反転突起部２５により皿バネ形状部２１が押し上げられ、皿バネ形状部２１が初期の凹形状に戻り、一対のアーム８が開いた状態に戻ることができる。
【実施例４】
【００１５】
次に、本考案の実施例４のアシストハサミ３００について図１０と図１４を用いて詳細に説明する。図１０は、本実施例のアシストハサミの開いた状態を示す側面図である。図１１は、同実施例のアシストハサミの閉じた状態を示す側面図である。図１２は、同実施例のアシストハサミに用いるアシストバネを説明するための図であって、アシストハサミが開いた状態におけるアシストバネの形状を示す斜視図である。図１３は、同実施例のアシストハサミに用いるアシストバネを説明するための図であって、アシストハサミが閉じた状態におけるアシストバネの形状を示す斜視図である。さらに、図１４は、同実施例の図１０に示すＢ−Ｂ線に沿って切断した時の断面図である。
本実施例のアシストハサミ３００は、アシストバネ２０を保持する構造が実施例２のアシストハサミ２００と異なる。そこで、異なる構造を主体に説明する。本実施例のアシストハサミ３００では、アシストバネ４０には皿バネ形状部２１の一端部側１４から延在された板状の定着部１３がさらに設けられ、かつ固定アーム７の移動アーム６に対向する位置に凹部１１がさらに設けられ、定着部１３が固定アーム７の凹部１１中において摺動自在に保持された構造とされていることが特徴である。
図１０及び図１１からもわかるように、アシストバネ４０の一端部側１４は固定せず、固定アーム７に設けた凹部１１にアシストバネ４０の定着部１３を差し込む構造としている。
刃先２を閉じるときにある一定の段階まで閉じると、皿バネ形状部２１が凸状に急激に反転して刃先２にバネによる力が補助的に加わる。その後、さらに握り部４、５を閉じていくと、反転機構部である反転突起部１２により皿バネ形状部２１の中央領域が押し上げられるような力が作用して自律的に初期の凹形状に戻ることができる。
なお、アシストバネ４０が挿入可能とされているので、アシストバネ４０が何らかの影響で破損した場合でも容易に取り替えることができる。
【００１６】
なお、実施例１から実施例４においては、剪定バサミについて説明したが、本考案は剪定バサミに限定されるものものではなく、布や紙を切るハサミや金属を切断するためのハサミ等、種々のハサミに適用可能である。
【産業上の利用可能性】
【００１７】
本考案は、剪定バサミをはじめとする各種ハサミに利用でき、比較的力の弱い人でもアシストバネの補助力により継続的に作業を行えることから、各種ハサミを利用する分野で有用である。
【符号の説明】
【００１８】
１、１００、２００，３００  アシストハサミ
２  刃先
３  軸
４、５  握り部
６  移動アーム
７  固定アーム
８  一対のアーム
９、１２、２５  反転突起部
１０、１１  凹部
１３  定着部
１４  一端部側
１５  端部
２０、４０  アシストバネ
２１  皿バネ形状部
２２  板バネ部
２３  保持部
【図１】
0003197115.tif 000003
【図２】
0003197115.tif 000004
【図３】
0003197115.tif 000005
【図４】
0003197115.tif 000006
【図５】
0003197115.tif 000007
【図６】
0003197115.tif 000008
【図７】
0003197115.tif 000009
【図８】
0003197115.tif 000010
【図９】
0003197115.tif 000011
【図１０】
0003197115.tif 000012
【図１１】
0003197115.tif 000013
【図１２】
0003197115.tif 000014
【図１３】
0003197115.tif 000015
【図１４】
0003197115.tif 000016
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
先端部に設けられた刃先と、前記刃先と一体的に形成された握り部と、前記刃先と前記握り部との間に設けられた軸とを有する移動アームと固定アームとからなる一対のアームと、
長円形状でその中央部を中心に凹形状を有する皿バネ形状部と、前記皿バネ形状部から延在された板バネ部と、前記板バネ部の先端部において前記移動アームの前記握り部に摺動可能に保持されるための保持部とを有し、前記保持部と反対の一端部側が前記固定アームと前記軸近傍において保持され、前記握り部において前記保持部が摺動可能に保持されたアシストバネとからなり、
前記移動アームの前記皿バネ形状部に対向する位置及び前記固定アームの前記皿バネ形状部に対向する位置のいずれかの位置に反転突起部からなる反転機構部を設け、前記握り部で力を加えた場合、前記刃先が閉じる前の段階で前記皿バネ形状部が凸状に反転した後、前記刃先が閉じたときに前記反転機構部により前記皿バネ形状部を初期の凹形状に戻すことを特徴とするアシストハサミ。
【請求項２】
前記移動アームの握り部であって前記固定アームの前記握り部に対向する位置に凹部を設け、前記アシストバネの前記保持部が前記凹部中において摺動自在に保持される構造からなることを特徴とする請求項１に記載のアシストハサミ。
【請求項３】
前記アシストバネには、前記皿バネ形状部の前記一端部側から延在された板状の定着部がさらに設けられ、かつ、前記固定アームの前記移動アームに対向する位置に凹部がさらに設けられ、
前記定着部が前記固定アームの前記凹部中において摺動自在に保持された構造からなることを特徴とする請求項１または２に記載のアシストハサミ。